(57)【要約】【課題】  ステムと本体とが単一コンポーネント組立体を形成する、車両ボデーフレームへの部品締結用リベットを提供すること。【解決手段】  リベットのステム（２）の頭部（６）と本体（１）の頭部（３）が、傾斜面（８）とランプ（９）をそれぞれ有し、傾斜面（８）とランプ（９）が、ステム（２）の最大貫入位置で同所共在してリベット頭部外形の連続性を画定し、一方ステム（２）の９０度の回転が、傾斜面の滑動と、ステム（２）の頭部（６）の本体（１）の頭部（３）に対する分離とを意味し、またステム（２）の頭部（６）によるステム（２）の引き出しと本体（１）の取外しとを可能にし、またステム（２）が突起（１０）を有する結果として、突起（１０）はステム（２）が本体（１）から独立するのを防ぎ、それによりステム（２）を引くことが、リベット全組立体の引き出し及び取外しという結果を招く。【選択図】      図２
2004353866.tif 000002
【特許請求の範囲】
【請求項１】
車両ボデーフレームへの部品締結用リベットであって、該リベットは二つの要素を具備しており、二つの要素の一つが、第二の要素の押し込みによって横に拡張可能なピンをもつ本体により構成されて、第二の要素が、前記本体を軸方向に通過するステムにより構成されているリベットにおいて、本体（１）及びステム（２）の二つの要素が、ステム（２）が本体（１）に対して軸方向に移動可能であるが単独にはならない単一コンポーネント組立体を構成し、また、ステム（２）を９０度回転させることによってステム（２）の頭部（６）を本体（１）の頭部（３）に対して分離するために、ステム（２）に設けられた相補的手段（８）と本体（１）に設けられた相補的手段（９）とが備えられ、また両方の要素が独立することを妨げる手段（１０）を有することを特徴とするリベット。
【請求項２】
本体（１）の頭部（３）に対するステム（２）の頭部（６）の分離を行う手段が、ステム（２）の頭部（６）の下方部分に設けられたいくつかの傾斜面（８）と、本体（１）の頭部（３）の上方部分に設けられたいくつかのランプ（９）とによって構成され、前記傾斜面（８）とランプ（９）とが、作動の位置であって本体（１）へのステム（２）の最大貫入の位置で同所共在し、本体（１）の頭部（３）とステム（２）の頭部（６）との間の一様性を外面に画定することを特徴とする、請求項１に記載の車両ボデーフレームへの部品締結用リベット。
【請求項３】
ステム（２）が本体（１）に対して独立するのを妨げる手段が、事実上のステム（２）の内部の端に対向して設けられたいくつかの突起（１０）により構成され、該突起が、本体（１）の拡張可能ピン（４）の間に形成された溝（５）の中を滑動し、ステム（２）の突起が、ステム（２）の外方への変位の位置における最大引き出し限度を構成することを特徴とする、請求項１に記載の車両ボデーフレームへの部品締結用リベット。
【請求項４】
ステム（２）の突起（１０）が、本体（１）の内部の方への変位の際に、事実上の本体（１）の拡張可能ピン（４）の内面に設けられた軸方向の溝（１１）に沿って、滑動して案内されることを特徴とする、請求項３に記載の車両ボデーフレームへの部品締結用リベット。
【発明の詳細な説明】
【技術分野】
【０００１】
本発明は、自動車のボデーフレームへの部品締結用リベットに関するものであり、前記リベットは、プラスチックで構成されたものであり、またステムと、ピンをもつ本体とを具備しており、前記ピンは、事実上のステムの本体に対する軸方向の変位の際の押し込みにより通常は拡張され、それがピンの拡張であることによって、そのことがリベットをボデーフレームの穴に保持する手段として働いて、実際のリベットが通過する部品の締結を達成する。
【０００２】
本発明の目的は、ステムと本体とが単一コンポーネント組立体を形成する、つまりそれらが独立することができないことににより単一の投入工程を獲得可能にし、ステムの単純な軸方向の引き抜きによって両方の要素の取外しとそれ故リベットの取外しとが共に実施されることを可能にすると見なされるタイプのリベットを提供することである。
【背景技術】
【０００３】
自動車産業では、ある部品及び金具を車両ボデーフレームへ締結することが、異なるタイプの部品を使って実行され、前記部品の中で最も一般的で目立つものは、二つの要素によって形成された通常はプラスチックの一種のリベットにより構成されたものであり、前記二つの要素の一方の要素は、穴といくつかの可撓性ピンとを有する頭部を持つリベット本体であり、前記可撓性ピンは前記頭部の裏面から延びており、またピンは互いに分離して、それらの間に頭部の穴の続きとして見なされる通路を形成している。
【０００４】
リベットの他方の要素は、ステムによって構成されており、前記ステムは、本体の頭部内の穴を軸方向に通過するように作られていて、前記ピンの横への拡張を生み出すために前記本体のピンに達するものである。
【０００５】
このタイプのリベットを使って、車両の部品及び/又は金具を車両のボデーフレームに容易にかつ効率的に締結することが可能であり、これに関しては、締結されるべき部品の穴をリベットが、通過して、ボデーフレームに向かい合って備えられた穴に係合し、その係合は、ステムが軸方向に挿入されたとき、リベットの本体のピンの横への拡張によって正確に達成されることが予見される。
【０００６】
このタイプのリベットの取外しは、一方ではリベットを構成する二つの要素のプラスチックの性質の結果として、また他方ではリベットの両方の要素が独立している結果として重大な問題と欠点とを提示する。
【０００７】
例えば、ステムがねじ形状をして、本体内に何本かのねじ山がある場合、金属部品におけるねじ戻しは、適切な工具を使って押すことにより行われ、その結果ねじ山とねじとの間の摩擦によって部品又は要素の取外しが達成される。
【０００８】
プラスチックの部品又は要素の問題の場合、工具を使ったねじ戻しは、工具を使って押さなければならないことにより、力が引き出し方向とは反対に加えられて、そのことが、アンカーピンの曲がりと、その結果としてねじ山の間の分離とを引き起こすので、本体のねじ山を損傷しないように穏やかに行われなければならず、そのことによってねじ戻し作用が常に達成されるとは限らない。
【０００９】
取外しの別の形態は、ステムをそのハウジングから軸方向に引き出すことにより行われ、これに関しては、ステム頭部の構造が指の爪又は指で引くことを可能にするのでなければ、適切な引き出し工具が必要とされ、またこの場合には前記頭部は、突き出て、不揃いで不快なデザインを有しているに違いない。
【００１０】
更に、ステムが引かれたときステムの引き出しは達成されて、リベットの本体は所定の場所に残され、このことは、別の第二の引き出し、この場合には本体が配置されるところのハウジング又は穴に対する本体の引き出しが必要とされることを意味する。
【発明の開示】
【発明が解決しようとする課題】
【００１１】
開示されるリベットは、単純で効率的な解決法に基づいて前述の問題を解決するように設計されている。
【課題を解決するための手段】
【００１２】
より具体的には、本発明のリベットは、その最も基本的な特徴として、本体とステムとが単一コンポーネント組立体を構成するということであり、つまり、ステムは本体に対して軸方向に変位可能であるが、ステムを引くことによる取外しのときに本体が同時に引き出されるという目的のために、本体とステムとが別個のものではないということである。
【００１３】
また、リベットの両方の要素が単一組立体を形作るので、単一組立体は単一の投入工程で、つまり単一の型によって獲得されることができ、それによって製造コストが低下する。
【００１４】
本発明のリベットの新規性の他の特徴は、ステム頭部の内面が、対向する二つの領域を有しており、その領域に、個々のランプ上に位置決めされた二つの傾斜面が形作られていて、前記ランプはリベットの本体頭部の上面にこのために備えられたものであり、ステムが内方へ完全に変位されたとき、部品の間の適応構造を画定し、それにより、あたかも単一の部品又は本体であるかのような完全に揃った外面を獲得することにある。
【００１５】
ステムの傾斜面と本体のランプとの前記の補完的構造形は、硬貨又は工具をステム頭部の中央溝に作用させることによりステムが９０度回転されたとき、ステムの傾斜面の横滑りとステムの外方への対応する軸方向変位とが生じて、ステムは、指で掴まれるように部分的に浮かび上がり、また引かれることにより前記ステムと更にステムを伴う本体とを引き出すことを意味し、またそのようなステムはその内側の端部にいくつかの突起を有しているので、突起はステムの内方への変位の際に、本体の拡張可能ピンの内面にこのために設けられた溝の中を滑動し、一方、軸方向外方への変位又は取外しの間に、これら突起は、二つの拡張可能ピンの分離を画定する溝の間を滑動して案内されて、当該の二つのピンの範囲を定めるところのそれら溝の底に当接して、このように本体が外に引き出されることによりステムがリベットの本体に対して独立するのが妨げられる。
【００１６】
実施される説明を完結するため、及び本発明の特徴のよりよい理解を助けるために、本発明の実際的な実施態様の好適な例に従って、前記説明は、その一体の部分として一組の図面を伴っており、また図面は、限定的にではなく実例として表されている。
【発明を実施するための最良の形態】
【００１７】
添付図面を踏まえて説明すると、本発明のリベットが二つのプラスチックの構成要素をどのように具備しているかが観察可能であり、一方はリベットの本体（１）と呼ばれ、また他方は同じリベットのステム（２）と呼ばれ、両方は単一コンポーネント組立体を画定するように結合されるが、ステム（２）は本体（１）に対して軸方向に移動可能である。
【００１８】
本体（１）の構造に関しては、在来型のように、本体（１）は、頭部（３）を具備しており、該頭部（３）の裏面から、横に拡張可能な二つのピン（４）が、正反対側の別個の溝（５）を形作る縦方向の分離をともなって突き出ており、またこれら全ては在来的なものである。
【００１９】
ステム（２）の部分に関して、ステム（２）は頭部（６）を有しており、該頭部（６）から事実上のステムが延びており、また頭部（６）は操作のための中央溝（７）を有している。
【００２０】
従ってこれらの特徴に基づいて、また前述したように、リベット組立体は、本体（１）及びステム（２）が、本体（１）に対する事実上のステム（２）の軸方向変位であって特に本体（１）の頭部（３）に設けられた穴を通るステム（２）の軸方向変位の能力をもつ単一組立体を形作り、また本体（１）からピン（４）が、軸方向に、また本体（１）の連続体として画定されることを特徴としている。
【００２１】
ステム（２）の頭部（６）の内側部分が、正反対の領域に一対の傾斜面（８）を有しており、前記傾斜面（８）は個々のランプ（９）を補完し、前記ランプ（９）はリベットの本体（１）の頭部（３）の上部に傾斜面（８）の補完のために設けられたものであり、その結果、ステム（２）が本体（１）へ最大貫入された位置で、傾斜面（８）は、図１に示されるようにランプ（９）に当接して、位置の安定性と、組立体における頭部の外表面の連続性とを画定、つまり頭部が単一体であるかのように画定する。
【００２２】
本体（１）におけるステム（２）の内方への滑動の際には、ステム（２）の端部に正反対に設けられた一対の突起（１０）が、ピン（４）の内側部分に案内のために形作られたそれぞれの案内用溝（１１）の中を滑動し、一方ステム（２）を９０度回転させた後のステム（２）の反対方向つまり外方への変位の間に、突起（１０）はピン（４）の間に形成された溝（５）に位置決めされて、溝（５）の上端（５’）に当接するまでその溝（５）に沿って滑動する。
【００２３】
上述の特徴により、上述のリベットの適用は、リベットの本体（１）のピン（４）の、締結される部品の穴と、当該の部品が締結されるべき車両のボデーフレームに向き合って設けられた他の穴との中への挿入によって実行され、その結果、その後ステム（２）の変位が内部の方へ向けて実施されて、ピン（４）の横への拡張を生み出し、またそのことによりリベット組立体のその組立位置における係合を生み出し、また図１に表されるように本体（１）の頭部（３）とステム（２）の頭部（６）とが、平らにされて揃った感じの良い連続的表面を形作る。
【００２４】
この作動位置から始まって、リベットの取外しを実施することが望まれるなら、ステム（２）は最初に、指の爪、又はそのようなステム（２）の頭部（６）の溝（７）に適用可能な工具を使って９０度回転され、その結果回転が傾斜面（８）とランプ（９）との間の滑動を必ず伴って、図２に表されるように本体頭部（３）に対する頭部（６）の分離を生み出し、その時点で前記頭部（６）は捕捉されることができてステム（２）が引き出され、ステム（２）は突起（１０）が溝（５）の底（５’）に当接するまで、前述の様態で滑動し、またその時点でステム（２）の引き抜きが継続しているなら、本体（１）を伴うステム（２）の引き出し、つまりリベット全体の引き出しが起こる。
【図面の簡単な説明】
【００２５】
【図１】図１は、本発明のリベットの斜視図であり、そこではステムはその限界位置まで本体に挿入されて、見られる前記リベットの頭部の連続的外表面を可能にしている。
【図２】図２は、図１の斜視図に類似の斜視図であるが、ステムが９０度回転された状態の図であり、ステムの頭部が握られてその対応する取外しのための引き抜きを可能にするために、ステムの頭部がステムの回転によって本体の頭部からどのように分離されるかがわかる。
【図３】図３は、図４に示されるリベットの平面図である。
【図４】図４は、リベットの側面図であり、ステムが、形を作られた後で且つステムの挿入前の所定の位置にある図である。
【図５】図５は、図３の切断面Ａ-Ａに対応する断面図である。
【図６】図６は、同じ図３の切断面Ｂ−Ｂに対応する断面図である。
【図７】図７は、一旦取外しされたリベットの図であり、そこではステムの二つの端が、本体の溝の端に当接しているのが見られる。
【符号の説明】
【００２６】
１…本体
２…ステム
３…頭部
４…ピン
５…溝
６…頭部
７…中央溝
８…傾斜面
９…ランプ
１０…突起
【図１】
2004353866.tif 000003
【図２】
2004353866.tif 000004
【図３】
2004353866.tif 000005
【図４】
2004353866.tif 000006
【図５】
2004353866.tif 000007
【図６】
2004353866.tif 000008
【図７】
2004353866.tif 000009